(57)【特許請求の範囲】
【請求項１】
情報が記録されたディスクを着脱自在に取り付けて回転させるターンテーブルと、前記ディスクの信号を読み取るための光ピックアップと、前記光ピックアップをディスクの半径方向に移動させる移動手段とを有する再生ユニットを備え、前記ディスクを略鉛直面上で回転させながら情報を読み取る縦置き型ディスク再生装置であって、
前記再生ユニットの移動手段による光ピックアップの移動方向が、前記ディスクの中央部から斜め上もしくは斜め下に向かう半径方向に沿うように前記再生ユニットが配置されているとともに、
前記再生ユニットをディスク再生装置の筐体に浮動状態に支持する支持手段と、前記再生ユニットを重力に抗してディスク回転面とほぼ平行な方向に弾性的に押圧する押圧手段とを更に備え、
前記押圧手段が、前記筐体に基端部を支点として回転可能に取付けられたアーム部と、前記アーム部の先端部を前記再生ユニットに弾性的に付勢する付勢手段と、前記アーム部の先端部と前記再生ユニットとの間に配置される防振部材と、を備えることを特徴とする縦置き型ディスク再生装置。
【請求項２】
請求項１記載の縦置き型ディスク再生装置であって、
前記防振部材が、不織布からなることを特徴とする縦置き型ディスク再生装置。
【請求項３】
請求項１または２に記載の縦置き型ディスク再生装置であって、
前記再生装置のディスク取り付け面に取付けられたディスクの下側の外周縁よりわずかに外側の位置に、ディスクの取り付け面と略直角をなす部位をそなえた脱落防止手段を、前記再生装置のディスク取り付け面に設けたことを特徴とする縦置き型ディスク再生装置。
【請求項４】
請求項１から３のいずれか一つに記載の縦置き型ディスク再生装置であって、
前記再生装置のディスク取り付け面に、ディスク投影面の範囲内と範囲外とに渡る凹部を設けたことを特徴とする縦置型ディスク再生装置。
【発明の詳細な説明】
【０００１】
【発明の属する技術分野】
本発明は、ＣＤ、ＤＶＤ等のディスク型記録媒体を略鉛直面上で回転させる縦置き型のディスク再生装置に関する。
【０００２】
【従来の技術】
ＣＤ、ＤＶＤ等のディスク再生装置は、着脱自在に装着されたディスクを回転させ、ディスク回転面とほぼ平行に保持された再生ユニットによってディスクに記録された情報を読み取り再生する。
前記再生ユニットは、ディスクを回転させるターンテーブルと、ディスクの信号を読み取るための光ピックアップと、前記光ピックアップをディスクの半径方向に移動させる移動手段とを備え、ディスク再生装置の筐体に不用振動を吸収するインシュレータ等によって浮動自在に支持されている。
【０００３】
ディスク再生装置のレイアウトとしては、ディスク回転面の配置で大きく分けて、ディスクの回転面を略水平とした横置き置型と、回転面を略鉛直とする縦置き型とに分類される。一般的には、横置き型レイアウトが採用されているが、ＣＤラジカセ等の一部のディスク再生装置では、デザインや配置スペースの観点から縦置き型レイアウトが採用されている。
【０００４】
縦置き型レイアウトのディスク再生装置においては、当然、略鉛直な面に対してディスクを脱着しなければならず、また、再生ユニットを略鉛直に立った姿勢で保持しなければならない。
したがって、横置き型レイアウトの構成をそのまま縦置きに流用すると、例えば、ディスク着脱時の落下や、または再生ユニットの自重による傾斜や設置位置からのズレといった再生ユニットの姿勢保持に関する問題が起こる。そのために、従来より様々な対策が講じられている。
【０００５】
例えば、ディスク着脱時の落下については、ディスク先端を差し込むと自動的に挿入されるスロットイン方式や、脱落防止のための段差・ツメ等を有するトレー方式のディスク挿入方法を採用することで、使用者のディスク脱着作業を補助しディスクの落下防止を図っている。
【０００６】
再生ユニットの配置については、光ピックアップの移動方向が略水平になるように配置され、横置き型レイアウトと同様に移動方向への重力の影響が生じないようにされている。
また、再生ユニットの姿勢保持については、従来のゴム等の弾性材やスプリング類からなるインシュレータ等の支持手段では、再生ユニットの自重を受けると鉛直方向に偏心して十分に機能できないので、スプリング等を別途設けて再生ユニットを重力に抗して筐体より懸架し、再生ユニットの自重が及ぼす影響を相殺する方法などが採用されている。
【０００７】
【発明が解決しようとする課題】
ところで、ディスク再生装置の主要構成要素である再生ユニットは、前述の如くターンテーブルと、光ピックアップの移動手段を備える。そのために、一般的に再生ユニットの全長は光ピックアップの移動方向に長く、しかもディスクの半径より長い場合が多い。
【０００８】
したがって、前述の如く光ピックアップが略水平に移動する従来の縦置き型レイアウトでは、再生ユニットの全長によって横幅が決るために、ディスク再生装置を小型化するのが難しい問題があった。前述のスロットイン方式やトレー方式のディスク挿入方法でも、専用の機構を備えるために、当然ながら寸法・コストの面で要求には十分に答えることができない。
【０００９】
また、再生ユニットの姿勢保持に関しても、従来のように再生ユニットをスプリング等で懸架する方法では、再生ユニットと筐体の双方にスプリングの係止箇所を設けたり、懸架する為のスペースを設ける必要があり、小型化・低価格化を難しくする問題があった。
【００１０】
本発明の課題は、縦置き型のディスク再生装置において、縦置き型レイアウトにより適した再生ユニットの配置及び各部の構成を示し、小型化・低価格化を図り、また、読取りエラーの低減やディスク着脱時の作業性の向上を図ることである。
【００１１】
【課題を解決するための手段】
以上の課題を解決するために、請求項１記載の発明は、情報が記録されたディスク（７）を着脱自在に取り付けて回転させるターンテーブル（３１）と、前記ディスクの信号を読み取るための光ピックアップ（３２）と、前記光ピックアップをディスクの半径方向に移動させる移動手段とを有する再生ユニット（３）を備え、前記ディスクを略鉛直面上で回転させながら情報を読み取る縦置き型ディスク再生装置（１）であって、
前記再生ユニットの移動手段による光ピックアップの移動方向が、前記ディスクの中央部から斜め上もしくは斜め下に向かう半径方向に沿うように前記再生ユニットが配置されているとともに、
前記再生ユニットをディスク再生装置の筐体に浮動状態に支持する支持手段（インシュレータ３３）と、前記再生ユニットを重力に抗してディスク回転面とほぼ平行な方向に弾性的に押圧する押圧手段（８）とを更に備え、
前記押圧手段が、前記筐体に基端部を支点として回転可能に取付けられたアーム部（８１）と、前記アーム部の先端部を前記再生ユニットに弾性的に付勢する付勢手段（圧縮バネ８２）と、前記アーム部の先端と前記再生ユニットとの間に配置される防振部材（不織布８３）と、を備えることを特徴とする。
【００１２】
請求項１記載の発明によれば、例えば、ディスク取り付け面に、ディスクの回転軸と中心を同じくする四角形平面（Ｂ）を仮想すると、再生ユニットの長手方向に当たる光ピックアップの移動方向を、前記四角形平面の略対角線上にあわせて傾斜配置する場合、前記四角形平面の横幅は略水平に配置する場合に比べて減少することになる。
したがって、再生ユニットの光ピックアップの移動方向を上記の様に傾斜させることによって、ディスク取り付け面に必要な横幅を減少させ、ディスク再生装置の小型化を図ることができる。
なお、再生ユニットが傾斜配置されることにより、光ピックアップの移動の制御に関わる自重の影響に対しては、光ピックアップの移動手段を構成するパーツの寸法精度を向上させることにより吸収する。
【００１４】
また、再生ユニットが略鉛直方向の振動を受けると、前記押圧手段の前記アーム部が支点をもとにスイングして再生ユニットを弾性的に押圧し、再生ユニットの自重が姿勢保持に及ぼす影響を減ずる効果がある。また、前記押圧手段が防振部材を備え、再生ユニットとアーム部が、硬質材同士で接触しないようにする。よって、筐体からアーム部を介して再生ユニットに伝わる不用振動、例えば、ディスク再生装置の設置場所の振動や、スピーカ等の出力部からの振動や、筐体の共振などが伝わるのを防ぐ効果がある。
さらに、前記押圧手段は、従来のように再生ユニットを懸架するのではなく前記アーム部の先端で押圧するだけであり、再生ユニットに特別な接触面やスプリングの係止部、あるいは懸架のためのスペースなどを別途設ける必要が無い。したがって、横置き用の再生ユニットの流用を促進し、ディスク再生装置の小型化・低価格化を図ることができる。
なお、前記防振部材は、例えば、ゴムやシリコンなどの弾性樹脂材や繊維シートなど振動を減衰・吸収する材料からなり、再生ユニットまたはアーム部の押圧箇所へ取付けられる。
【００１５】
請求項２記載の発明は、請求項１記載のディスク再生装置であって、前記防振部材が不織布からなることを特徴とする。
【００１６】
請求項２記載の発明によれば、請求項１に記載の発明と同等の効果を奏するとともに、前記防振部材を不織布とすることで、例えば、５００〜６００Ｈｚおよび１ｋＨｚ付近のスピーカ振動に起因する筐体の共振等を吸収するとともに、前記押圧手段の再生ユニットとの接触部に、より高い耐摩耗性をそなえることができる。また、例えば、接着剤を塗布したシートにして、所望する箇所に貼設すればよいので、組立性やメンテナンス時の取り換えなどが容易になる効果が有る。
なお、上記振動周波数は一例であって、これに限定されるものではない。不織布は、素材・厚さ等によって吸収される振動周波数がことなるので、選択に当たっては筐体の共振などの不用振動に関する機種ごとの振動特性に応じて適宜選択する。
【００１７】
請求項３記載の発明は、請求項１または２に記載の縦置き型ディスク再生装置であって、
前記再生装置のディスク取り付け面に取付けられたディスクの下側の外周縁よりわずかに外側の位置に、ディスクの取り付け面と略直角をなす部位をそなえた脱落防止手段（２３）を、前記再生装置のディスク取り付け面に設けたことを特徴とする。
【００１８】
請求項３記載の発明によれば、請求項１または２に記載に記載の発明と同等の効果を奏するとともに、前記脱落防止手段が、ディスクの着脱時に滑り落ちようとするディスクの下端を支える。したがって、使用者はディスクの取り付け時、前記脱落防止手段の略直角部にディスクの下端を一旦当てて支持させることで、落下の心配なくディスクとターンテーブルの位置合わせができる。ディスク取り外し時においても、ターンテーブルから外れたディスクは、下端が前記脱落防止手段によって受け止められるので、落下による傷等を防ぐことができる。
【００１９】
また、前記脱落防止手段をディスク再生装置正面側から見たとき、前記略直角部がディスクの外縁形状に対応した円弧状になるように設けるならば、取り付け時に略直角部にディスクの下端をあてて、ディスク取り付け面に沿わせると、ディスクの中心がターンテーブルの近くに導かれる。よって、ディスク取り付け時の位置合わせが不用となり、さらに効果的である。
【００２０】
請求項４記載の発明は、請求項１から３のいずれか一つに記載の縦置き型ディスク再生装置であって、
前記再生装置のディスク取り付け面に、ディスク投影面の範囲内と範囲外とに渡る凹部（２２）を設けたことを特徴とする。
【００２１】
請求項４記載の発明によれば、請求項１から３のいずれか一つに記載の発明と同等の効果を奏するとともに、前記凹部がディスクの着脱時にディスクを保持する使用者の指が入るスペースとなる。
したがって、ディスクと筐体の間に指が挟まれそうになって、誤ってディスクを落下させてしまうのを防止することができる。
【００２２】
【発明の実施の形態】
本発明を適用した一実施形態を、図１から６を参照して詳細に説明する。なお、本実施形態は、ディスク再生装置がディスクに記録された情報を音声再生する場合を仮定して説明する。
【００２３】
図１および２に示すように、本発明の縦置き型ディスク再生装置１は、商品の外観を構成するとともに各種構成部品を取付けるベースとなる筐体２と、ディスク７に記録された情報を読み取る再生ユニット３と、前記再生ユニット３を前記筐体２に姿勢保持する保持手段（後述のインシュレータ３３及び押圧手段８）と、ボリューム等の操作スイッチ類が備えられた操作パネル部４と、再生ユニット３で読み取られた信号を音声出力するスピーカ部５と、図示されない電源部とを備える。
【００２４】
前記筐体２は、プラスチックまたはアルミ合金等からなり、ディスク取り付け面Ｚには、ディスク７と筐体２との接触・干渉を避けるためのザグリ部２１と、着脱時にディスク７を保持する指が入るスペースを形成する凹部２２と、落下しようとするディスク７の下端を支える脱落防止手段２３とが備えられている。
【００２５】
前記ザグリ部２１は、直径がディスク７より大きく、ディスク７の回転中心と同心な略円形の窪みであって、ディスク取り付け面Ｚを覆う外装カバー６との間に、ディスク７が筐体２と干渉せずに回転できる空間を形成する。
【００２６】
前記脱落防止手段２３は、図３ａに示すように、前記ザグリ部２１の下端部をディスク取り付け面Ｚに対して略直角をなすようにして形成される。前記略直角の部分のディスク取り付け面Ｚからの高さは、前記直角部分がディスク取り付け面Ｚに取付けられたディスク７の下側の外周縁よりわずかに外側の位置で、滑り落ちようとするディスク７を受け止められるように適宜選択する。
また、図２に示すように、ディスク再生装置１正面から見た前記脱落防止手段２３の形状は、ディスク取り付け時に、ディスク７下端を当ててディスク取り付け面Ｚに沿わせると、ディスク７の中央がターンテーブルの近傍に来るように、ディスク７の外周形状に対応した円弧をなしている。
【００２７】
前記凹部２２は、図２および図４に示すように、その端部がディスク投影面Ｃの内側と外側に至る窪みであって、ディスク着脱時に使用者がディスク７を保持する指等が入るように、ディスク７と筐体２の間にスペースを形成する。スペースの深さ・幅に関しては、想定される使用者の指等の大きさや、ディスク着脱の作業性と筐体の厚さとの兼ね合いから適宜選択される。
【００２８】
前記再生ユニット３は、図２に示すように、ディスク７を着脱自在に取り付けて回転させるターンテーブル３１と、ディスク７の信号を読み取るための光ピックアップ３２と、前記光ピックアップ３２を移動させる図示されない移動手段とを備える。
前記光ピックアップ３２は、前記移動手段によってディスク７の半径方向に移動しながらディスク７の信号を読み取る。読み取られた信号は、例えば、スピーカ部５から音声再生される。
【００２９】
再生ユニット３の配置に際しては、図６に示すように、ディスク取り付け面Ｚに、ディスクの回転軸と中心を同じくする四角形平面Ｂを仮想して、前記再生ユニット３の長手方向にあたる光ピックアップ３２の移動方向を前記四角形平面Ｂの略対角線上に配置する。
【００３０】
前記保持手段は、再生ユニット３を筐体２に浮動自在に支持する支持手段である複数のインシュレータ３３と、前記再生ユニット３を重力に抗してディスク回転面と平行な方向に弾性的に押圧する押圧手段８とを備える。
【００３１】
前記押圧手段８は、図５に示すように、前記筐体２にボス８５を支点としてディスク取り付け面Ｚに回転可能に取付けられたプラスチック等からなるアーム部８１と、前記アーム部８１の先端部を前記再生ユニット３に弾性的に付勢する付勢手段である圧縮バネ８２と、前記アーム部８１の先端と前記再生ユニット３との間に配置される防振部材である不織布８３と、筐体２に突出して設けられ前記圧縮バネ８２を取付けるリブ８４とを備える。
前記アーム部８１は、先端部において再生ユニット３との接触位置に突起８６が形成され、突起８６の裏側で圧縮バネ８２によって先端部をアーム部８１の回転方向に、リブ８４から離れる方向に付勢される。これにより、突起８６が再生ユニット３の側面に弾性的に当接する。
前記不織布８３は、再生ユニット３の前記アーム部８１と接触する端面に接着剤等により貼設されている。
【００３２】
次に、動作を説明する。
ディスク７を再生ユニット３のターンテーブル３１に取付ける場合、図３に示すように、使用者は、ディスク７を鉛直より手前にやや傾けて、ディスク７の下端を前記脱落防止手段２３に当接させるように挿入する。次に、ディスク７下端を支点にして、ディスク７を立てて取り付け面Ｚに対して沿わせる。
この時、前記脱落防止手段２３は、前述の如く前記脱落防止手段２３をディスク再生装置１正面側から見るとディスク７の外縁形状に対応した円弧状になるように設けられているので、ディスク７の中央はターンテーブル３１の近傍にガイドされる。したがって、使用者は少しだけディスク７を持ち上げるだけで、位置合わせができる。
【００３３】
ディスク７をターンテーブル３１に取り付ける際には、ディスク７を保持する指が前記凹部２２に位置するようにすると、指がディスク７と筐体２との間に挟まれることなく、取り付け作業ができる。
【００３４】
ディスク７を再生すると、スピーカ部５から音声再生が行われる。
再生中はスピーカ部５などから振動が筐体２を伝わり、場合によっては筐体２が共振する。こうした不要振動は、インシュレータ３３でその一部を受けるとともに、鉛直方向成分はアーム部８１がボス８５を支点にスイングしながら圧縮バネ８２によって弾性的に支持され、不織布８３によって減衰・吸収される。
【００３５】
再生を終了し、ディスク７を取り外す時は、使用者は先ず指先を前記凹部２２に差し込み、指先でディスク７外縁を引っ掛けるようにして保持する。次いで、ディスク７下端を支点にするように手前に起こすと、ディスク７はターンテーブル３１からはずれる。
この時、外れたディスク７の下端は、大きく落下することなく前記脱落防止手段２３によって支持される。使用者は、あらためて保持しやすい姿勢でディスク７を取り出すことができる。
【００３６】
なお、以上の実施形態においては、前記押圧手段８に備えられる防振部材を不織布８３としたが、ゴムやシリコンといった弾性材をアーム部８１に別途取付けても良い。押圧手段８の数・配置位置も再生ユニットや筐体の形状に合わせて適宜変更してよい。
また、前記付勢手段を圧縮バネ８２としたが、捩りバネでもゴム等の弾性部材でもよい。
【００３７】
また、前記脱落防止手段２３をザグリ部２１の端部に形成したが、これに限定されるものではなく別体で設けられてもよい。
例えば、ディスク取り付け面Ｚから垂直に延出した複数の円柱を、前記脱落防止手段をディスク再生装置１正面側から見たとき、ディスク投影面Ｃの外側に、ディスク７の外縁形状に対応した円弧状になるように設けてもよい。
【００３８】
【発明の効果】
請求項１記載の発明によれば、例えば、ディスク取り付け面Ｚに、ディスク７の回転軸と中心を同じくする四角形平面Ｂを仮想して、再生ユニット３の長手方向に当たる光ピックアップ３２の移動方向を前記四角形平面Ｂの略対角線上にあわせて傾斜配置すると、略水平に配置する場合に比べ横幅を減少させることができる。
したがって、ディスク取り付け面Ｚに必要な横幅を減少させることで、ディスク再生装置１の小型化を図ることができる。
【００３９】
また、前記押圧手段８が、縦置き型のレイアウトにおいて再生ユニット３の姿勢保持に自重が及ぼす影響を減ずる効果がある。
また、前記押圧手段８が不織布８３を備え、再生ユニット３とアーム部８１が硬質材同士で接触しないようにすることで、筐体２からアーム部８１を介して再生ユニット３に不要な振動が伝わるのを防ぐ効果がある。
また、前記押圧手段８は、再生ユニット３を前記アーム部８１の先端で押圧するだけなので、再生ユニット３に押圧手段８の為に特別に接触面やスプリング等の係止部などを別途設ける必要が無い。したがって、横置き用の再生ユニットの流用を促進し、ディスク再生装置１の小型化・低価格化を図ることができる。
【００４０】
請求項３記載の発明によれば、請求項１または２に記載の発明と同等の効果を奏するとともに、前記脱落防止手段３２が、ディスク７の着脱時に滑り落ちようとするディスク７の下端を支え、落下による傷等を防ぐことができる。
また、前記脱落防止手段３２を、ザグリ部２１の下端部をディスク取り付け面Ｚに対して略直角にすることで、取り付け時に略直角部にディスク７の下端をあてて、ディスク取り付け面Ｚに沿わせると、ディスク７の中心がターンテーブル３１の近くに導かれる位置合わせ効果を備える。
【００４１】
請求項４記載の発明によれば、請求項１から３のいずれか一つに記載の発明と同等の効果を奏するとともに、前記凹部２２がディスク７の着脱時にディスク７を保持する使用者の指が入るスペースとなる。
したがって、ディスク７と筐体２の間に指が挟まれそうになって、誤ってディスク７を落下させてしまうのを防止することができる。
【図面の簡単な説明】
【図１】本発明を適用した、一実施形態の縦置き型ディスク再生装置を示す、斜視外観図である。
【図２】図１の縦置き型ディスク再生装置における、要部正面図である。
【図３】図２におけるＡ−Ａ断面図であって、（ａ）図１の実施形態における、ディスク取付け動作を示す図面である。
（ｂ）従来の縦置き型ディスク再生装置の比較相当図である。
【図４】図２におけるＡ−Ａ断面図であって、ディスク取り外し動作を示す図面である。
【図５】図１の縦置き型ディスク再生装置における、押圧手段８を示す拡大正面図である。
【図６】図１の縦置き型ディスク再生装置における、再生ユニットの配置を示す正面図であって、光ピックアップの移動方向が（ａ）水平配置の例（ｂ）傾斜配置の例を示す図面である。
【符号の説明】
１    ディスク再生装置
２    筐体
３    再生ユニット
４    操作パネル部
５    スピーカ部
６    外装カバー
７    ディスク
８    押圧手段
２１  ザグリ部
２２  凹部
２３  脱落防止手段
３１  ターンテーブル
３２  光ピックアップ
３３  インシュレータ
８１  アーム部
８２  圧縮バネ
８３  不織布
８４  リブ
８５  ボス
８６  突起
Ｂ    四角形平面
Ｃ    ディスク投影面
Ｚ    ディスク取り付け面
【図１】
0003735259.tif 000002
【図２】
0003735259.tif 000003
【図３】
0003735259.tif 000004
【図４】
0003735259.tif 000005
【図５】
0003735259.tif 000006
【図６】
0003735259.tif 000007